(57)【要約】【課題】簡単且つ経済的な構成で、良好な荷重緩和機能を有し、端部に配置されているＭＥＡの自重による損傷等を確実に阻止するとともに、無駄に排気される燃料ガスを可及的に削減することを可能にする。【解決手段】燃料電池モジュール１０を構成する燃料電池スタック１２は、電解質・電極接合体２６とセパレータ２８とを交互に積層する。燃料電池スタック１２の積層方向の一方の端部には、積層方向外方に向かって、電解質・電極接合体２６と、端部セパレータ８４とが配置されるとともに、前記燃料電池スタック１２の積層方向の他方の端部には、積層方向外方に向かって、前記電解質・電極接合体２６と同形状に形成されて導電性を有し且つ発電機能を有さないダミー電解質・電極接合体８６と、前記端部セパレータ８４とが配置される。【選択図】図８
2010257837.tif 000002
【特許請求の範囲】
【請求項１】
電解質をアノード電極とカソード電極とで挟んで構成される電解質・電極接合体と、
一方の面側に前記アノード電極の電極面に沿って燃料ガスを供給するための燃料ガス通路を設け、且つ他方の面側に前記カソード電極の電極面に沿って酸化剤ガスを供給するための酸化剤ガス通路を設けるセパレータと、
前記電解質・電極接合体と前記セパレータとを交互に積層する燃料電池スタックと、
を備える燃料電池モジュールであって、
前記燃料電池スタックの積層方向の一方の端部には、積層方向外方に向かって、前記電解質・電極接合体と、前記燃料ガス通路への前記燃料ガスの供給を規制し且つ前記酸化剤ガス通路への前記酸化剤ガスの供給を許容する端部セパレータとが配置されるとともに、
前記燃料電池スタックの積層方向の他方の端部には、積層方向外方に向かって、前記電解質・電極接合体と同形状に形成されて導電性を有し且つ発電機能を有さないダミー電解質・電極接合体と、前記端部セパレータとが配置されることを特徴とする燃料電池モジュール。
【請求項２】
請求項１記載の燃料電池モジュールにおいて、前記セパレータは、前記燃料ガス通路に前記燃料ガスを導入するための燃料ガス供給孔を設ける一方、
前記端部セパレータは、前記燃料ガス供給孔を設けないことを特徴とする燃料電池モジュール。
【請求項３】
請求項１又は２記載の燃料電池モジュールにおいて、前記積層方向の一方の端部に配置される前記端部セパレータは、前記燃料ガス通路側を前記燃料電池スタックの積層方向最端部に配置するとともに、
前記積層方向の他方の端部に配置される前記端部セパレータは、前記酸化剤ガス通路側を前記燃料電池スタックの積層方向最端部に配置することを特徴とする燃料電池モジュール。
【請求項４】
請求項１〜３のいずれか１項に記載の燃料電池モジュールにおいて、前記ダミー電解質・電極接合体は、複数枚の金属板が積層された金属積層体であることを特徴とする燃料電池モジュール。
【請求項５】
請求項１〜３のいずれか１項に記載の燃料電池モジュールにおいて、前記ダミー電解質・電極接合体は、セラミックス製フェルトと通電用金属板との積層体であることを特徴とする燃料電池モジュール。
【請求項６】
請求項１〜５のいずれか１項に記載の燃料電池モジュールにおいて、前記燃料電池スタックの積層時には、前記積層方向の他方の端部側が下方に配置される一方、
前記燃料電池スタックの発電時には、前記積層方向の一方の端部側が下方に配置されることを特徴とする燃料電池モジュール。
【請求項７】
請求項１〜６のいずれか１項に記載の燃料電池モジュールにおいて、前記燃料電池スタックには、前記積層方向の一方の端部に配置される前記端部セパレータ側に隣接して、前記燃料電池スタックに前記積層方向に荷重を付与するための荷重付与機構が配置される一方、
前記積層方向の他方の端部側に隣接して、前記燃料電池スタックに供給される前記燃料ガスを生成する改質器、及び前記燃料電池スタックからの排ガスと前記酸化剤ガスとを熱交換するための熱交換器とを有する流体部が配置されることを特徴とする燃料電池モジュール。
【請求項８】
請求項７記載の燃料電池モジュールにおいて、前記燃料電池スタックには、前記荷重付与機構及び前記流体部が軸対称に配置されることを特徴とする燃料電池モジュール。
【発明の詳細な説明】
【技術分野】
【０００１】
本発明は、電解質をアノード電極とカソード電極とで挟んで構成される電解質・電極接合体と、セパレータとを交互に積層する燃料電池スタックを備える燃料電池モジュールに関する。
【背景技術】
【０００２】
通常、固体電解質形燃料電池（ＳＯＦＣ）は、電解質に酸化物イオン導電体、例えば、安定化ジルコニアを用いており、この電解質の両側にアノード電極及びカソード電極を配設した電解質・電極接合体（ＭＥＡ）を、セパレータ（バイポーラ板）によって挟持している。この燃料電池は、通常、電解質・電極接合体とセパレータとが所定の数だけ積層された燃料電池スタックとして使用されている。
【０００３】
上記の燃料電池スタックでは、電解質・電極接合体とセパレータとが交互に鉛直方向に積層されるため、特に、燃料電池スタックの最下段に配置される燃料電池（電解質・電極接合体やセパレータ）は、前記燃料電池スタック全体の重量を直接受けてしまう。このため、燃料電池スタックの最下段では、燃料電池が破損し易くなるという問題がある。
【０００４】
そこで、例えば、特許文献１に開示されている構造が知られている。この特許文献１では、図１０に示すように、燃料電池１を備えており、前記燃料電池１は、発電セル２とセパレータ３とが鉛直方向に交互に積層されている。燃料電池１の最下端には、単一の燃料用端板４が積層される一方、前記燃料電池１の最上段には、単一の空気用端板５が積層されている。
【０００５】
この燃料電池１は、ベース板６上に載置されるとともに、４つのコーナ部に連結部材７が挿入されている。セパレータ３の４つのコーナ部、空気用端板５の４つのコーナ部及び燃料用端板４の４つのコーナ部には、ねじ孔８が形成されている。ねじ孔８には、ねじ９が螺合されることにより、前記ねじ９の先端が連結部材７に対して面接触している。
【０００６】
これにより、燃料電池１の下部に位置する発電セル２であっても、前記発電セル２にかかる荷重は、他の発電セル２にかかる荷重と略均等に維持することができる。従って、前記発電セル２に過大な荷重がかかることを阻止して、前記発電セル２が破損することを防止することができる、としている。
【先行技術文献】
【特許文献】
【０００７】
【特許文献１】特開２００２−２８００５２号公報
【発明の概要】
【発明が解決しようとする課題】
【０００８】
ところで、セパレータ３、空気用端板５及び燃料用端板４の４隅には、それぞれねじ孔８が形成されるとともに、前記ねじ孔８にねじ９を螺合する構造を有している。このため、燃料電池１全体の構造が相当に複雑化するという問題がある。
【０００９】
本発明はこの種の問題を解決するものであり、簡単且つ経済的な構成で、良好な荷重緩和機能を有し、端部に配置されているＭＥＡの自重による損傷等を確実に阻止するとともに、無駄に排気される燃料ガスを可及的に削減し、効率を向上させることが可能な燃料電池モジュールを提供することを目的とする。
【課題を解決するための手段】
【００１０】
本発明は、電解質をアノード電極とカソード電極とで挟んで構成される電解質・電極接合体と、一方の面側に前記アノード電極の電極面に沿って燃料ガスを供給するための燃料ガス通路を設け、且つ他方の面側に前記カソード電極の電極面に沿って酸化剤ガスを供給するための酸化剤ガス通路を設けるセパレータと、前記電解質・電極接合体と前記セパレータとを交互に積層する燃料電池スタックとを備える燃料電池モジュールに関するものである。
【００１１】
燃料電池スタックの積層方向の一方の端部には、積層方向外方に向かって、電解質・電極接合体と、燃料ガス通路への燃料ガスの供給を規制し且つ酸化剤ガス通路への酸化剤ガスの供給を許容する端部セパレータとが配置されるとともに、前記燃料電池スタックの積層方向の他方の端部には、積層方向外方に向かって、前記電解質・電極接合体と同形状に形成されて導電性を有し且つ発電機能を有さないダミー電解質・電極接合体と、前記端部セパレータとが配置されている。
【００１２】
また、セパレータは、燃料ガス通路に燃料ガスを導入するための燃料ガス供給孔を設ける一方、端部セパレータは、前記燃料ガス供給孔を設けないことが好ましい。このため、端部セパレータは、燃料ガス供給孔の形成工程を削除するだけで、セパレータと同様に製造することができ、製造コストを良好に削減させることが可能になる。しかも、発電に供しない端部セパレータは、燃料ガスを不要に排気することがなく、前記燃料ガスの無駄な消費が有効に防止できる。
【００１３】
さらに、積層方向の一方の端部に配置される端部セパレータは、燃料ガス通路側を燃料電池スタックの積層方向最端部に配置するとともに、積層方向の他方の端部に配置される端部セパレータは、酸化剤ガス通路側を前記燃料電池スタックの積層方向最端部に配置することが好ましい。
【００１４】
従って、端部セパレータの積層方向外方には、電解質・電極接合体が配置されないため、組み立て時や運転時等、前記端部セパレータが下方に配置されることにより、前記電解質・電極接合体の座屈や損傷を回避することが可能になる。その上、燃料電池スタックの積層方向最端部には、燃料ガスを無駄に供給することがない。これにより、燃料ガスの消費が削減され、効率的な発電作業が遂行される。
【００１５】
さらにまた、ダミー電解質・電極接合体は、複数枚の金属板が積層された金属積層体であることが好ましい。このため、発電によって発生した電力を効率的に伝達することができるとともに、金属積層体及び端部セパレータの荷重緩和機能により積層方向の荷重を良好に緩和し、電解質・電極接合体の座屈や損傷を防止することが可能になる。
【００１６】
また、ダミー電解質・電極接合体は、セラミックス製フェルトと通電用金属板との積層体であることが好ましい。従って、発電によって発生した電力を効率的に伝達することができるとともに、積層体及び端部セパレータの荷重緩和機能を介して積層方向の荷重を良好に緩和し、電解質・電極接合体の座屈や損傷を防止することが可能になる。しかも、セラミックス製フェルトにより断熱性の向上が容易に図られる。
【００１７】
さらに、この燃料電池モジュールは、燃料電池スタックの積層時には、積層方向の他方の端部側が下方に配置される一方、前記燃料電池スタックの発電時には、前記積層方向の一方の端部側が下方に配置されることが好ましい。これにより、燃料電池スタックの両端部において、電解質・電極接合体やセパレータの変形、座屈等を防止することができ、前記燃料電池スタックの耐久性が良好に向上する。
【００１８】
さらにまた、この燃料電池モジュールは、燃料電池スタックには、積層方向の一方の端部に配置される端部セパレータ側に隣接して、前記燃料電池スタックに前記積層方向に荷重を付与するための荷重付与機構が配置される一方、前記積層方向の他方の端部側に隣接して、前記燃料電池スタックに供給される燃料ガスを生成する改質器、及び前記燃料電池スタックからの排ガスと酸化剤ガスとを熱交換するための熱交換器とを有する流体部が配置されることが好ましい。
【００１９】
このため、燃料電池モジュール全体の小型化が容易に図られるとともに、積層方向の荷重を効率的に伝達することができ、しかも熱歪みも良好に抑制することが可能になる。
【００２０】
また、この燃料電池モジュールは、燃料電池スタックには、荷重付与機構及び流体部が軸対称に配置されることが好ましい。従って、熱歪みの発生が可及的に削減される。
【発明の効果】
【００２１】
本発明によれば、燃料電池スタックの積層方向の両端部には、燃料ガス通路への燃料ガスの供給を規制した端部セパレータが、それぞれ配置されるため、燃料ガスを無駄に供給することがない。これにより、燃料ガスの消費が削減され、前記燃料ガスを効率的に供給することができる。
【００２２】
さらに、燃料電池スタックの積層方向の他方の端部には、ダミー電解質・電極接合体と端部セパレータとが配設されるため、荷重緩和機能が有効に向上し、電解質・電極接合体の損傷を可及的に防止することが可能になる。しかも、電解質・電極接合体に代えてダミー電解質・電極接合体が配置されており、前記ダミー電解質・電極接合体と端部セパレータとの間に断熱層が形成される。従って、燃料電池スタック内の断熱性が向上する。
【図面の簡単な説明】
【００２３】
【図１】本発明の第１の実施形態に係る燃料電池モジュールの断面説明図である。
【図２】前記燃料電池モジュールを構成する燃料電池スタックの概略斜視説明図である。
【図３】前記燃料電池スタックの、図２中、ＩＩＩ−ＩＩＩ線断面図である。
【図４】燃料電池の分解斜視説明図である。
【図５】前記燃料電池のガス流れ状態を示す一部分解斜視説明図である。
【図６】前記燃料電池の動作を説明する概略断面説明図である。
【図７】前記燃料電池スタックの一部分解斜視説明図である。
【図８】前記燃料電池スタックの組み立て作業の説明図である。
【図９】本発明の第２の実施形態に係る燃料電池モジュールを構成するダミー電解質・電極接合体の断面説明図である。
【図１０】特許文献１の燃料電池の断面説明図である。
【発明を実施するための形態】
【００２４】
図１〜図３に示すように、本発明の第１の実施形態に係る燃料電池モジュール１０は、定置用の他、車載用等の種々の用途に用いられている。
【００２５】
燃料電池モジュール１０は、燃料電池スタック１２と、酸化剤ガスを前記燃料電池スタック１２に供給する前に加熱する熱交換器１４と、原燃料と水蒸気との混合燃料を生成するために、水を蒸発させる蒸発器１５と、前記混合燃料を改質して改質ガスを生成する改質器１６と、前記燃料電池スタック１２、前記熱交換器１４、前記蒸発器１５、前記改質器１６及び後述する荷重付与機構１９を収容する筐体１７とを備える。
【００２６】
改質器１６は、都市ガス（原燃料）中に含まれるエタン（Ｃ2Ｈ6）、プロパン（Ｃ3Ｈ8）及びブタン（Ｃ4Ｈ10）等の高級炭化水素（Ｃ2+）を、主としてメタン（ＣＨ4）、水素、ＣＯを含む燃料ガスに水蒸気改質するための予備改質器であり、数百℃の作動温度に設定される。
【００２７】
筐体１７内では、燃料電池スタック１２の一方の側に、少なくとも熱交換器１４、蒸発器１５及び改質器１６を含む流体部１８が配置されるとともに、前記燃料電池スタック１２の他方の側に、積層方向（矢印Ａ方向）に締め付け荷重を付与する荷重付与機構１９が配設される。荷重付与機構１９及び流体部１８は、燃料電池スタック１２に対して軸対称に配置される。
【００２８】
燃料電池スタック１２は、矢印Ａ方向に積層される複数の固体電解質形燃料電池１２ａを備える。燃料電池１２ａは、図４及び図５に示すように、例えば、安定化ジルコニア等の酸化物イオン導電体で構成される電解質（電解質板）２０の両面に、カソード電極２２及びアノード電極２４が設けられた電解質・電極接合体（ＭＥＡ）２６を備える。
【００２９】
電解質・電極接合体２６は、円板状に形成されるとともに、少なくとも外周端面部には、酸化剤ガス及び燃料ガスの進入や排出を阻止するためにバリアー層（図示せず）が設けられている。各セパレータ２８間には、４個の電解質・電極接合体２６が、このセパレータ２８の中心部である燃料ガス供給連通孔３０と同心円上に配列される。
【００３０】
セパレータ２８は、図４に示すように、例えば、ステンレス合金等の板金で構成される１枚の金属プレートやカーボンプレート等で構成される。セパレータ２８は、中央部に燃料ガス供給連通孔３０を形成する燃料ガス供給部（反応ガス供給部）３２を有する。この燃料ガス供給部３２から外方に等角度間隔（９０゜間隔）ずつ離間して放射状に延在する４本の第１橋架部３４を介して比較的大径な挟持部３６が一体的に設けられる。燃料ガス供給部３２と各挟持部３６との中心間距離は、同一距離に設定される。
【００３１】
各挟持部３６は、電解質・電極接合体２６と略同一寸法の円板形状に設定されており、互いに分離して構成される。挟持部３６には、燃料ガスを供給するための燃料ガス供給孔３８が、例えば、前記挟持部３６の中心又は中心に対して酸化剤ガスの流れ方向上流側に偏心した位置に設定される。
【００３２】
各挟持部３６のアノード電極２４に接触する面３６ａには、前記アノード電極２４の電極面に沿って燃料ガスを供給するための燃料ガス通路４０が形成される。面３６ａには、燃料ガス通路４０を通って使用された燃料ガスを排出する燃料ガス排出通路４２と、アノード電極２４に接触するとともに、前記燃料ガスが燃料ガス供給孔３８から前記燃料ガス排出通路４２に直線状に流れることを阻止する迂回路形成用の円弧状壁部４４とが設けられる。
【００３３】
円弧状壁部４４は、略馬蹄形状を有し、その内部に燃料ガス供給孔３８が配置される一方、挟持部３６の基端部側（第１橋架部３４側）には、燃料ガス排出通路４２が設けられる。面３６ａには、燃料ガス通路４０側に突出してアノード電極２４の外周縁部に接触する外縁周回用凸部４６と、前記アノード電極２４に接触する複数の突起部４８とが設けられる。
【００３４】
凸部４６は、燃料ガス排出通路４２に対応して一部が切り欠かれた略リング状を有するとともに、突起部４８は、面３６ａに、例えば、エッチングにより形成される中実部、又はプレスにより形成される中空部で構成される。
【００３５】
図６及び図７に示すように、各挟持部３６のカソード電極２２に接触する面３６ｂは、略平坦面に形成されており、この面３６ｂには、円板状のプレート５０が、例えば、ろう付け、拡散接合やレーザ溶接等により固着される。このプレート５０には、プレス等により複数の突起部５２が設けられる。図６に示すように、挟持部３６の面３６ｂ側には、突起部５２によりカソード電極２２の電極面に沿って酸化剤ガスを供給するための酸化剤ガス通路５４が形成されるとともに、前記突起部５２は、集電部を構成する。
【００３６】
各挟持部３６の外周部には、電解質・電極接合体２６の発電電力の取り出し及び計測を行うとともに、セパレータ２８に位置決めや枚数検出等に利用可能な突出部５６が形成される（図４及び図５参照）。
【００３７】
図４に示すように、セパレータ２８のカソード電極２２に対向する面には、通路部材６０が、例えば、ろう付け、拡散接合やレーザ溶接等により固着される。通路部材６０は、平板状に構成されるとともに、中央部に燃料ガス供給連通孔３０を形成する燃料ガス供給部６２を備える。燃料ガス供給部６２には、補強用のボス部６３が所定数だけ設けられる。
【００３８】
燃料ガス供給部６２から放射状に４本の第２橋架部６４が延在するとともに、各第２橋架部６４は、セパレータ２８の第１橋架部３４から挟持部３６の面３６ｂに燃料ガス供給孔３８を覆って固着される（図６参照）。
【００３９】
燃料ガス供給部６２から第２橋架部６４には、燃料ガス供給連通孔３０から燃料ガス供給孔３８に連通する燃料ガス供給通路６６が形成される。燃料ガス供給通路６６は、例えば、エッチングにより形成される。
【００４０】
図６に示すように、酸化剤ガス通路５４は、電解質・電極接合体２６の内側周端部と挟持部３６の内側周端部との間から矢印Ｂ方向に酸化剤ガスを供給する酸化剤ガス供給連通孔６８に連通する。この酸化剤ガス供給連通孔６８は、各挟持部３６の内方と第１橋架部３４との間に位置して積層方向（矢印Ａ方向）に延在している。
【００４１】
各セパレータ２８間には、燃料ガス供給連通孔３０をシールするための絶縁シール７０が設けられる。絶縁シール７０は、例えば、マイカ材やセラミック材等、地殻成分系素材、硝子系素材、粘土とプラスチックの複合素材で形成されている。絶縁シール７０は、燃料ガス供給連通孔３０を電解質・電極接合体２６に対してシールする機能を有する。燃料電池スタック１２には、挟持部３６の外方に位置して排ガス通路７２が形成される。
【００４２】
図４に示すように、隣り合う各挟持部３６間には、酸化剤ガス供給連通孔６８を介して各電解質・電極接合体２６の面方向に沿って酸化剤ガス通路５４を流通する酸化剤ガス及び燃料ガス通路４０を流通する燃料ガスを整流するための整流部材７４が配置される。整流部材７４は、略扇方形状の板材で構成されており、矢印Ａ方向に所定枚数だけ積層されるとともに、各挟持部３６間に対応して平面視で４つ配設される。
【００４３】
整流部材７４は、絶縁部材、例えば、マイカをシリコーン樹脂で結合して構成される。整流部材７４は、挟持部３６の周縁部の一部及びセパレータ２８の外接円の一部に沿って配置される。整流部材７４の挟持部３６の一部に沿う一端部は、前記挟持部３６と第１橋架部３４との連結部位の近傍に配置されるとともに、前記整流部材７４の他端部である外周部７８は、セパレータ２８の外接円の一部を構成する。
【００４４】
整流部材７４の一端部には、酸化剤ガス供給連通孔６８及び燃料ガス供給連通孔３０から離間する方向に凹形状を有する凹部８０が設けられる。整流部材７４の両側部には、それぞれ挟持部３６の外周形状に対応する円弧状部８２が設けられる。
【００４５】
図７及び図８に示すように、燃料電池スタック１２は、電解質・電極接合体２６とセパレータ２８との積層方向の一方の端部（図８に示す組み立て時に上方に配置される一方、図７に示す発電使用時に下方に配置される端部）に、電解質・電極接合体２６に隣接して、端部セパレータ８４が配置される。この端部セパレータ８４は、セパレータ２８と略同様に構成されており、前記セパレータ２８の製造工程の途上で、燃料ガス供給孔３８の形成工程を削除することにより製造される。
【００４６】
燃料電池スタック１２は、積層方向の他方の端部（図８に示す組み立て時に下方に配置される一方、図７に示す発電使用時に上方に配置される端部）に、積層方向外方に向かって、導電性を有し且つ発電機能を有さないダミー電解質・電極接合体８６と、端部セパレータ８４とが配置される。
【００４７】
ダミー電解質・電極接合体８６は、電解質・電極接合体２６と同等の形状、すなわち、円盤形状を有しており、複数枚の平板状金属板８６ａが積層されて一体化された金属積層体で構成される。
【００４８】
図２及び図３に示すように、燃料電池スタック１２の他方の端部には、端部セパレータ８４に隣接して略円板状のエンドプレート８８ａが配置される。燃料電池スタック１２の一方の端部には、端部セパレータ８４に隣接して隔壁（ターミナルプレート）９０が配置され、前記隔壁９０に隣接して小径且つ略円板状の複数のエンドプレート８８ｂと、大径且つ略リング状の固定リング８８ｃとが配置される。隔壁９０は、排ガスがセパレータ２８の外部に拡散することを阻止する機能をも有する一方、エンドプレート８８ｂは、各電解質・電極接合体２６の積層位置に対応して４つ配設される。
【００４９】
エンドプレート８８ａ及び固定リング８８ｃは、複数の孔部９２を有するとともに、整流部材７４には、積層方向にボルト挿入用カラー部材９４が一体に挿入される。孔部９２及びボルト挿入用カラー部材９４に挿入されるボルト９６及び前記ボルト９６に螺合するナット９８を介し、エンドプレート８８ａと固定リング８８ｃとが締め付け固定される。
【００５０】
エンドプレート８８ａには、燃料ガス供給連通孔３０に連通する単一の燃料ガス供給パイプ１００と、各酸化剤ガス供給連通孔６８に連通するキャビティ１０２ａを設けるケーシング１０２と、前記ケーシング１０２に接続されて前記キャビティ１０２ａに連通する単一の酸化剤ガス供給パイプ１０４とが設けられる。
【００５１】
エンドプレート８８ａには、複数のボルト９６、ナット１０６ａ、１０６ｂ及び板状カラー部材１０８を介して固定プレート部材１１０が固定される。固定プレート部材１１０とエンドプレート８８ａとの間には、燃料ガス供給部３２、６２（ガスシール部位）に第１締め付け荷重を付与する第１締め付け部１１２と、各電解質・電極接合体２６に前記第１締め付け荷重よりも小さな第２締め付け荷重を付与する第２締め付け部１１４とが設けられ、これらにより荷重付与機構１９が構成される。
【００５２】
荷重付与機構１９は、エンドプレート８８ｂ側に配置されるととともに、第１締め付け部１１２及び第２締め付け部１１４は、エンドプレート８８ａを介して積層方向の荷重を保持する。
【００５３】
第１締め付け部１１２は、燃料ガス供給連通孔３０から燃料ガスが漏れることを阻止するために、燃料電池スタック１２の中央部（燃料ガス供給部３２、６２の中央部）に配置される押圧部材１１６を備え、この押圧部材１１６は、４つのエンドプレート８８ｂの配列中心近傍に位置して前記燃料電池スタック１２を押圧する。
【００５４】
押圧部材１１６には、第１受け部材１１８ａ及び第２受け部材１１８ｂを介して第１スプリング１２０が配置される。第２受け部材１１８ｂには、第１押圧ボルト１２２の先端が当接する。第１押圧ボルト１２２は、固定プレート部材１１０に形成された第１ねじ孔１２４に螺合するとともに、第１ナット１２６を介して位置調整可能に固定される。
【００５５】
第２締め付け部１１４は、エンドプレート８８ｂに各電解質・電極接合体２６に対応して配置される第３受け部材１２８ａを備える。第３受け部材１２８ａは、ピン１３０を介してエンドプレート８８ｂに位置決め支持される。第３受け部材１２８ａに第２スプリング１３２の一端が当接する一方、前記第２スプリング１３２の他端が第４受け部材１２８ｂに当接する。第４受け部材１２８ｂには、第２押圧ボルト１３４の先端が当接する。第２押圧ボルト１３４は、固定プレート部材１１０に形成された第２ねじ孔１３６に螺合するとともに、第２ナット１３８を介して位置調整可能に固定される。
【００５６】
図１の発電使用時の姿勢に示すように、筐体１７は、荷重付与機構１９を収容する第１筐体部１６０ａと、燃料電池スタック１２を収容する第２筐体部１６０ｂとを上下に備える。第１及び第２筐体部１６０ａ、１６０ｂ間は、隔壁９０を介装してねじ１６２及びナット１６４により締め付けられる。隔壁９０は、流体部１８から荷重付与機構１９に高温の排ガスや空気が流入することを阻止するガス遮蔽部を構成する。第２筐体部１６０ｂには、リング状壁板１６６の一端部が接合されるとともに、前記壁板１６６の他端部には、ヘッド板１６８が固着される。
【００５７】
蒸発器１５には、原燃料（メタン、エタン又はプロパン等）を供給する原燃料供給部（図示せず）に連結される燃料ガス供給管１７０が接続される。蒸発器１５の出口は、改質器１６の入口に連通する。燃料ガス供給管１７０に近接して、排ガス管１７２が配置される。
【００５８】
ヘッド板１６８には、酸化剤ガス供給管１７４が連通するとともに、前記酸化剤ガス供給管１７４は、筐体１７内の通路１７６を通って熱交換器１４から酸化剤ガス供給連通孔６８に連通する。
【００５９】
このように構成される燃料電池モジュール１０の動作について、以下に説明する。
【００６０】
図１に示すように、エアポンプ（図示せず）により吐出された酸素含有ガスである空気は、酸化剤ガス供給管１７４から筐体１７内の通路１７６に供給される。この空気は、熱交換器１４により加熱された後、酸化剤ガス供給パイプ１０４からキャビティ１０２ａを介して各酸化剤ガス供給連通孔６８に供給される。
【００６１】
一方、燃料ガス供給管１７０から改質器１６に原燃料（メタン、エタン又はプロパン等）が供給されるとともに、前記燃料ガス供給管１７０から前記改質器１６に水が供給される。原燃料が改質器１６を通って改質されることにより燃料ガス（水素含有ガス）が得られ、この燃料ガスは、エンドプレート８８ａに接続されている燃料ガス供給パイプ１００から燃料ガス供給連通孔３０に供給される。
【００６２】
図６に示すように、燃料ガスは、燃料電池スタック１２の燃料ガス供給連通孔３０に沿って積層方向（矢印Ａ方向）に移動しながら、燃料ガス供給通路６６に沿ってセパレータ２８の面方向に移動する。
【００６３】
燃料ガスは、燃料ガス供給通路６６から挟持部３６に形成された燃料ガス供給孔３８を通って燃料ガス通路４０に導入される。燃料ガス供給孔３８は、各電解質・電極接合体２６のアノード電極２４の略中心位置に設定されている。このため、燃料ガスは、燃料ガス供給孔３８からアノード電極２４の略中心に供給された後、燃料ガス通路４０に沿って前記アノード電極２４の外周部に向かって移動する。
【００６４】
一方、酸化剤ガス供給連通孔６８に供給された空気は、整流部材７４の整流作用下に、電解質・電極接合体２６の内側周端部と挟持部３６の内側周端部との間から矢印Ｂ方向に流入し、酸化剤ガス通路５４に送られる。酸化剤ガス通路５４では、電解質・電極接合体２６のカソード電極２２の内側周端部（セパレータ２８の中央部）側から外側周端部（セパレータ２８の外側周端部側）に向かって空気が流動する。
【００６５】
従って、電解質・電極接合体２６では、アノード電極２４の電極面の中心側から周端部側に向かって燃料ガスが供給されるとともに、カソード電極２２の電極面の一方向（矢印Ｂ方向）に向かって空気が供給される。その際、酸化物イオンが電解質２０を通ってアノード電極２４に移動し、化学反応により発電が行われる。
【００６６】
なお、各電解質・電極接合体２６の外周部に排出される主に発電反応後の空気を含む排ガスは、オフガスとして排ガス通路７２を介して燃料電池スタック１２から排出される（図１参照）。
【００６７】
この場合、第１の実施形態では、燃料電池スタック１２を組み立てる際には、図８に示すように、流体部１８が設けられるエンドプレート８８ａが最下位に配置される。このエンドプレート８８ａ上には、先ず、端部セパレータ８４が配置される。
【００６８】
次いで、端部セパレータ８４上には、各挟持部３６上に対応して４つのダミー電解質・電極接合体８６が配置される。さらに、ダミー電解質・電極接合体８６上には、セパレータ２８が、酸化剤ガス通路５４側を前記ダミー電解質・電極接合体８６に向けて載置される。
【００６９】
セパレータ２８上に、４つの電解質・電極接合体２６がダミー電解質・電極接合体８６に対応して載置される。以下、順に、セパレータ２８と電解質・電極接合体２６とは、交互に鉛直方向上方に向かって配置される。
【００７０】
そして、組み立て時の鉛直方向最上位に、電解質・電極接合体２６が配置された後、この電解質・電極接合体２６上には、端部セパレータ８４が配置される。端部セパレータ８４には、エンドプレート８８ｂを介して荷重付与機構１９が積層される。
【００７１】
このように、燃料電池スタック１２の積層方向の他方の端部（組み立て時の下端部）には、燃料ガス通路４０への燃料ガスの供給を規制した端部セパレータ８４が配設されている。さらに、燃料電池スタック１２の積層方向の一方の端部（組み立て時の上端部）には、燃料ガス通路４０への燃料ガスの供給を規制した端部セパレータ８４が配設されている。
【００７２】
このため、燃料ガス通路４０からダミー電解質・電極接合体８６及びエンドプレート８８ａ、８８ｂに燃料ガスを無駄に供給することがなく、前記燃料ガスの消費が削減されるとともに、該燃料ガスを効率的に供給することができるという利点がある。
【００７３】
さらに、燃料電池スタック１２の積層方向の他方の端部には、端部セパレータ８４に隣接してダミー電解質・電極接合体８６が配設されている。従って、燃料電池スタック１２の組み立て時に、最下端位置に配置される端部セパレータ８４及びダミー電解質・電極接合体８６双方の荷重緩和機能により、積層方向の荷重（セパレータ２８及び電解質・電極接合体２６の自重）が良好に緩和され、前記電解質・電極接合体２６の損傷等を防止することが可能になる。
【００７４】
さらにまた、セパレータ２８が燃料ガス通路４０に燃料ガスを導入するための燃料ガス供給孔３８を設ける一方、端部セパレータ８４には、前記燃料ガス供給孔３８が設けられていない。このため、端部セパレータ８４は、燃料ガス供給孔３８の形成工程を削除するだけで、セパレータ２８と同様に製造することができ、製造コストを良好に削減させることが可能になる。
【００７５】
しかも、発電に供しない端部セパレータ８４は、燃料ガスを不要に排気することがなく、前記燃料ガスの無駄な消費が有効に防止できる。
【００７６】
また、燃料電池スタック１２の積層方向の他方の端部には、電解質・電極接合体２６に代えてダミー電解質・電極接合体８６が配置されている。従って、ダミー電解質・電極接合体８６と端部セパレータ８４との間に断熱層が形成され、燃料電池スタック１２内の断熱性が向上する。
【００７７】
さらに、燃料電池スタック１２の積層方向の一方の端部には、端部セパレータ８４が、燃料ガス通路４０側を燃料電池スタック１２の積層方向最端部に、すなわち、エンドプレート８８ｂに向かって配置されている。一方、燃料電池スタック１２の積層方向の他方の端部には、端部セパレータ８４が、酸化剤ガス通路５４側を前記燃料電池スタック１２の積層方向最端部に、すなわち、エンドプレート８８ａに向かって配置されている。
【００７８】
従って、端部セパレータ８４の積層方向外方には、電解質・電極接合体２６が配置されておらず、組み立て時や運転時等、前記端部セパレータ８４が下方に配置されることにより、前記電解質・電極接合体２６の座屈や損傷を回避することが可能になる。その上、燃料電池スタック１２の最端部には、燃料ガスを無駄に供給することがなく、前記燃料ガスの消費が削減されて効率的な発電作業が遂行される。
【００７９】
さらにまた、ダミー電解質・電極接合体８６は、複数枚の平板状金属板８６ａが積層されて一体化された金属積層体で構成されている。このため、燃料電池スタック１２では、発電によって発生した電力を効率的に伝達することができるとともに、積層方向の荷重を緩和し、電解質・電極接合体２６の座屈や損傷を防止することが可能になる。
【００８０】
さらに、燃料電池スタック１２の積層時には、他方の端部セパレータ８４及びダミー電解質・電極接合体８６が下方に配置されるとともに（図８参照）、前記燃料電池スタック１２の発電時には、図１に示すように、一方の端部セパレータ８４側が下方に配置されている。これにより、燃料電池スタック１２の両端部において、電解質・電極接合体２６やセパレータ２８の変形、座屈等を防止することができ、前記燃料電池スタック１２の耐久性が良好に向上する。
【００８１】
さらにまた、燃料電池スタック１２には、端部セパレータ８４側に隣接して、前記燃料電池スタック１２に積層方向に荷重を付与するための荷重付与機構１９が配置される一方、ダミー電解質・電極接合体８６側に隣接して、前記燃料電池スタック１２に供給される燃料ガスを生成する改質器１６、熱交換器１４を有する流体部１８が配置されている。このため、燃料電池モジュール１０全体の小型化が容易に図られるとともに、積層方向の荷重を効率的に伝達することができ、しかも、熱歪みを良好に抑制することが可能になる。
【００８２】
また、燃料電池スタック１２には、荷重付与機構１９及び流体部１８が軸対称に配置されている。従って、熱歪みの発生が可及的に削減される。
【００８３】
図９は、本発明の第２の実施形態に係る燃料電池モジュールを構成するダミー電解質・電極接合体１８０の断面説明図である。
【００８４】
ダミー電解質・電極接合体１８０は、セラミックス製フェルト１８２と、通電用金属板１８４との積層体である。金属板１８４は、フェルト１８２の端部で折り返してこのフェルト１８２の両面に突出している。
【００８５】
このダミー電解質・電極接合体１８０では、上記の第１の実施形態と同様の効果が得られる他、セラミックス製のフェルト１８２により、断熱性の向上が容易に図られるという利点がある。
【００８６】
なお、第１及び第２の実施形態では、電解質・電極接合体２６の座屈等を防止するために、積層方向の荷重を緩和する機能を有するものであるが、燃料電池スタック１２に対して積層方向の荷重が十分に付与されない状態まで緩衝することがないように、剛性を確保することが必要である。
【符号の説明】
【００８７】
１０…燃料電池モジュール            １２…燃料電池スタック
１４…熱交換器                      １５…蒸発器
１６…改質器                        １７…筐体
１９…荷重付与機構                  ２０…電解質
２２…カソード電極                  ２４…アノード電極
２６…電解質・電極接合体            ２８…セパレータ
３０…燃料ガス供給連通孔            ３２、６２…燃料ガス供給部
３４、６４…橋架部                  ３６…挟持部
３８…燃料ガス供給孔                ４０…燃料ガス通路
５４…酸化剤ガス通路                ６０…通路部材
６６…燃料ガス供給通路              ７４…整流部材
８４…端部セパレータ
８６、１８０…ダミー電解質・電極接合体
８６ａ…平板状金属板                ８８ａ、８８ｂ…エンドプレート
９０…隔壁                          １１２、１１４…締め付け部
１６０ａ、１６０ｂ…筐体部          １８２…フェルト
１８４…金属板
【図１】
2010257837.tif 000003
【図２】
2010257837.tif 000004
【図３】
2010257837.tif 000005
【図４】
2010257837.tif 000006
【図５】
2010257837.tif 000007
【図６】
2010257837.tif 000008
【図７】
2010257837.tif 000009
【図８】
2010257837.tif 000010
【図９】
2010257837.tif 000011
【図１０】
2010257837.tif 000012